(57)【要約】【課題】  水切りが効率よくでき、美観を損なうことなく、しかもシンク開口面を調理作業スペースとして有効に活用することのできるキッチンキャビネットを提供する。【解決手段】  シンク(4)が配設され、シンク(4)近傍のカウンター(2)天面が調理作業スペースとされているキッチンキャビネット(1)において、カウンター(2)天面の一部に水切り孔(3)が配設され、その下部には、水切り孔(3)に対して開口しているとともに、シンク(4)内へと連設された水切り段部(5)が設けられており、この水切り段部(5)には、シンクの対向部(41)に形成されたプレート載置部(42)に架渡されるプレート(6)が引き出し／収納自在に配置されていることを特徴とする。【選択図】図１
2005007152.tif 000002
【特許請求の範囲】
【請求項１】
シンクが配設され、シンク近傍のカウンター天面が調理作業スペースとされているキッチンキャビネットにおいて、カウンター天面の一部に水切り孔が配設され、その下部には、水切り孔に対して開口しているとともに、シンク内へと連設された水切り段部が設けられており、この水切り段部には、シンクの対向部に配置されたプレート載置部に架渡されるプレートが引き出し／収納自在に配置されていることを特徴とするキッチンキャビネット。
【請求項２】
架渡されるプレートが、シンク開口面の全面または略全面を覆うことを特徴とする請求項１のキッチンキャビネット。
【請求項３】
プレートには、通水孔が配設されていることを特徴とする請求項１または２のキッチンキャビネット。
【請求項４】
水切り段部には、シンク側に向かって水切り勾配が設けられていることを特徴とする請求項１から３いずれかのキッチンキャビネット。
【請求項５】
水切り孔が配設されたカウンター天面の裏側には、凸状のガイド部が形成され、プレートの上面には、前記ガイド部と対応した溝部が形成されていることを特徴とする請求項１から４いずれかのキッチンキャビネット。
【請求項６】
水切り孔が配設されたカウンター天面の裏側には、溝部が形成され、プレートの上面には、前記溝部と対応した凸状のガイド部が形成されていることを特徴とする請求項１から４いずれかのキッチンキャビネット。
【請求項７】
水切り孔が配設されたカウンター天面の裏側には、プレートの上面と当接するようにパッキン材が配設されていることを特徴とする請求項１から６いずれかのキッチンキャビネット。
【請求項８】
プレートのシンク側端部近傍には、手掛り部が形成されていることを特徴とする請求項１から７いずれかのキッチンキャビネット。
【請求項９】
プレート載置部には、手掛り部と係合する係合部が形成されていることを特徴とする請求項８のキッチンキャビネット。
【発明の詳細な説明】
【技術分野】
【０００１】
この出願の発明は、キッチンキャビネットに関するものである。さらに詳しくは、この出願の発明は、水切りが効率よくでき、美観を損なうことなく、しかもシンク開口面を調理作業スペースとして有効に活用することのできるキッチンキャビネットに関するものである。
【背景技術】
【０００２】
従来より、図１１に例示したように、シンク(イ)が配設され、シンク(イ)近傍のカウンター天面(ウ)が調理作業スペースとされているキッチンキャビネット(ア)がよく知られている。また、スライド自在にシンク上にプレートが設置され、シンクを覆うことのできるキッチンキャビネット（特許文献１）や水切りプレートを収納自在とすることのできる収納部を備えたキッチンキャビネット（特許文献２）等が提案されている。
【０００３】
上記特許文献１が提案しているキッチンキャビネットでは、シンク上にプレートをスライド自在に配置している。このプレートを調理作業に使用できるようにするとともに、使用しない場合には、キッチンキャビネットの端部方向に移動させ、プレートを立て上げて保持することができるようにしている。
【０００４】
また、特許文献２が提案しているキッチンキャビネットでは、シンクが配設されたキャビネットの奥側にも収納キャビネット部が立設されており、水切りプレートがこの収納キャビネット部に収納することができるようにしている。
【特許文献１】特開平9-1357396号公報
【特許文献２】実開平4-238号公報
【発明の開示】
【発明が解決しようとする課題】
【０００５】
しかしながら、図１１に例示した通常のキッチンキャビネットの場合には、カウンター天面は、調理中等に水が溜まり易いため、不衛生であり、見栄えも悪かった。またシンクは常に開口した状態であるため、シンク開口面を調理作業スペースとして活用することができないという問題があった。
【０００６】
また、上記特許文献１に例示したようなキッチンキャビネットの場合には、プレートは、常にキッチンキャビネット上に露出した状態であるため、美観が損なわれるという問題があった。
【０００７】
一方、特許文献２に例示したようなキッチンキャビネットの場合は、水切りプレートをシンク上に引き出して使用することができるとしても、その引き出しや収納動作であるスライド動作がスムーズでなく、また調理作業台として利用することは困難であり、調理作業スペースの有効活用という観点において、問題があった。
【０００８】
そこでこの出願の発明は、以上のとおりの事情に鑑みてなされたものであって、従来の問題点を解消し、水切りが効率よくでき、美観を損なうことなく、プレートのスライド動作がスムーズで、しかもシンク開口面を調理作業スペースとして有効に活用することのできる、新しいキッチンキャビネットを提供することを課題としている。
【課題を解決するための手段】
【０００９】
この出願の発明は、上記の課題を解決する手段として、第1には、シンクが配設され、シンク近傍のカウンター天面が調理作業スペースとされているキッチンキャビネットにおいて、カウンター天面の一部に水切り孔が配設され、その下部には、水切り孔に対して開口しているとともに、シンク内へと連設された水切り段部が設けられており、この水切り段部には、シンクの対向部に配置されたプレート載置部に架渡されるプレートが引き出し／収納自在に配置されていることを特徴とするキッチンキャビネットを提供する。
【００１０】
また、この出願の発明は、第2には、プレートが、シンク開口面の全面または略全面を覆うことを特徴とするキッチンキャビネットを提供し、第3には、プレートには、通水孔が配設されていることを特徴とするキッチンキャビネットを提供する。
【００１１】
さらに、この出願の発明は、第4には、水切り段部には、シンク側に向かって水切り勾配が設けられていることを特徴とするキッチンキャビネットを提供し、第5には、水切り孔が配設されたカウンター天面の裏側には、凸状のガイド部が形成され、プレートの上面には、前記ガイド部と対応した溝部が形成されていることを特徴とするキッチンキャビネットを、第6には、水切り孔が配設されたカウンター天面の裏側には、溝部が形成され、プレートの上面には、前記溝部と対応した凸状のガイド部が形成されていることを特徴とするキッチンキャビネットを、第7には、水切り孔が配設されたカウンター天面の裏側には、プレートの上面と当接するようにパッキン材が配設されていることを特徴とするキッチンキャビネットを提供し、さらにまた、第8には、プレートのシンク側端部近傍には、手掛り部が形成されていることを特徴とする請求項１から７いずれかのキッチンキャビネットを、そして、第9には、プレート載置部には、手掛り部と係合する係合部が形成されていることを特徴とするキッチンキャビネットを提供する。
【発明の効果】
【００１２】
上記のとおりのこの出願の第１の発明のキッチンキャビネットによれば、水切りが効率よくでき、美観を損なうことなく、しかもシンク開口面を調理作業スペースとして有効に活用することができる。
【００１３】
また、第２の発明によれば、第１の発明の効果に加え、シンク開口面をより有効に調理作業スペースとして活用することができる。
【００１４】
第３の発明によれば、第１および第２の発明の効果に加え、プレートにおいてもより効率よく水切り効果を発揮することができる。
【００１５】
第４の発明によれば、上記第１から第３の発明の効果に加え、さらに効率よく水をシンクへ流すことができる。
【００１６】
第５の発明によれば、上記第１から第４の発明の効果に加え、プレートの引き出し／収納する際のがたつき等を抑え、スムーズなスライド動作を実現することができる。
【００１７】
第６の発明によれば、上記第１から第４の発明の効果に加え、プレートの引き出し／収納する際のがたつき等を抑え、スムーズなスライド動作を実現することができる。
【００１８】
第７の発明によれば、上記第１から第６の発明の効果に加え、プレート等に残った水をシンクへ容易に弾き出すことができ、プレート等を衛生的に保つことができる。
【００１９】
第８の発明によれば、上記第１から第７の発明の効果に加え、プレートの引き出し／収納がさらに容易とすることができる。
【００２０】
第９の発明によれば、上記第１から第８の発明の効果に加え、プレートでシンク開口面に覆った際のプレートの安定性が向上し、さらに安心して調理作業スペースとして利用することができる。
【発明を実施するための最良の形態】
【００２１】
この出願の発明は上記のとおりの特徴をもつものであるが、以下、その実施の形態について詳しく説明する。
【００２２】
図１および図２は、この出願の発明の一実施形態を例示した断面図と平面図であり、この図１および図２において、(A)はプレートを収納している状態を、(B)はプレートを引き出しもしくは収納している状態を、(C)はプレートを引き出してシンクの開口面全面を覆っている状態をそれぞれ示している。この(A)(B)(C)の状態に沿って説明すると、シンク(4)近傍のカウンター(2)天面が調理作業スペースとされているキッチンキャビネット(1)において、キッチンキャビネット(1)のカウンター(2)天面の一部に多数の水切り孔(3)が配設され、この水切り孔(3)の下部には、前記水切り孔(3)に対して開口しているとともに、シンク(4)内へと連設されている。そして、シンク(4)に向かって水切り勾配（後述）を設けたシンク(4)側に開口部(51)、すなわちプレート(6)のスライド引き出し口を有する水切り段部(5)が設けられ、このような水切り段部(5)に、シンクの対向部(41)に配置されたプレート載置部(42)に載置してシンク(4)を架渡すプレート(6)が、水切り段部(5)の開口部(51)を通じて、引き出し／収納自在にスライド（矢印）できるように配置されている。
【００２３】
すなわち、まず、図１および図２の(A)の状態のように、プレート(6)が収納されている時は、シンク(4)の開口面全面が開口しているため、シンク(4)を有効活用することができる。そして、(B)(C)の状態のように、プレート(6)を引き出して、シンクの対向部(41)に形成されたプレート載置部(42)にプレート(6)を載置して、シンク(4)の開口面全面を覆うことによって、シンク(4)の開口面を調理作業スペースとして活用することができる。また、カウンター(2)天面に配設された水切り孔(3)から流れ落ちてきた水は、水切り段部(5)の底面を水切り勾配によってつたって、水切り段部(5)側のプレート(6)端部と水切り段部(5)との隙間を通ってシンク(4)内へと流れ落ちていく（矢印）。
【００２４】
もちろん、(A)の状態のように、プレート(6)が収納されている場合であっても、水はプレート(6)上面や下面、また水切り段部(5)底面をつたって、シンク(4)内へ流れ落ちていくことができる。
【００２５】
図３は、この出願の発明の別の実施形態を例示した平面図である。この図３に例示した実施形態は、基本的な点は前記の例と略同様であるが、前記のプレート(6)に通水孔(71)を設け、水切りプレート(7)とした点で異なっている。これによって、水切りプレート(7)を収納した状態であっても、水切り孔(3)から流れ落ちてくる水が、水切りプレート(7)の通水孔(71)を通って水切り段部(5)の底面に流れ落ちるため、より効率よく水切りの効果が実現することができる。そのため、前記のとおり、効率のよい水切り効果のため、カウンター(2)天面に設けられている水切り孔(3)と水切りプレート(7)に設けられている通水孔(71)の位置は、相互に対応して配設されていることがより好ましい。
【００２６】
もちろん、図３の(C)の状態のように、水切りプレート(7)によってシンク(4)の開口面全面を覆われた状態においても、水切りプレート(7)は、調理作業スペースとして活用することができるだけでなく、水切りの効果も実現することができる。
【００２７】
そして、この出願の発明は、上記のような水切り孔(3)から流れ落ちてくる水をさらに効率よくシンク(4)内に流れ落とすために、水切り段部(5)は、プレート(6)の引き出し／収納に支障がない程度の傾斜、すなわち、水切り勾配をシンク(4)に向かって設けることもできる。
【００２８】
図４は、この出願の発明のさらに別の実施形態を例示した平面図である。(A)はプレートを収納している状態を、(B)はプレートの引き出しもしくは収納している状態を、(C)はプレートを引き出してシンクの開口面全面を覆っている状態をそれぞれ例示した図である。図５は、図４の実施形態における水切り孔が配設されたカウンター天面の裏側を拡大例示した要部拡大斜視図である。また、図６は、図５の実施形態におけるプレートを収納した状態を拡大例示した要部拡大斜視図である。
【００２９】
この図４に例示した実施形態は、基本的な点は前記の例と略同様であるが、水切り孔(3)が配設されたカウンター(2)天面の裏側に凸状のガイド部(8)を設けるとともに、プレート(6)にこのガイド部(8)に対応した形状の溝部(9)を設けた点で異なっている。
【００３０】
図４から図６に例示したように、プレート(6)を引き出し／収納するカウンター(2)天面の裏側には、凸状のガイド部(8)が形成されている。また、プレート(6)の上面には、前記ガイド部(8)と対応した形状を有した溝部(9)が形成されている。このようなガイド部(8)と溝部(9)が形成されることにより、ガイド部(8)と溝部(9)とが係合して、プレート(6)の引き出し／収納をする際のがたつき等を抑えることができ、プレート(6)のスライド動作がより安定、かつ、スムーズにすることができる。もちろん、このガイド部(8)は、水切り孔(3)が配設されたカウンター(2)天面の裏側に長手方向にわたって配設されていてもよいし、また、プレート(6)のスライド引き出し口である開口部(51)近傍におけるカウンター(2)天面の裏側に突条として配設されていてもよい。
【００３１】
もちろん、図７に例示したように、この図４から図６に例示した実施形態とは逆に、水切り孔(3)が配設されたカウンター(2)天面の裏側には溝部(11)を、またプレート(6)上面には前記溝部(11)と対応した凸状のガイド部(12)をそれぞれ形成させてもよい。この図８の例のような場合には、水切り段部(5)における効率のよい水切り効果を得るためには、水切り段部(5)に水切り勾配を設けられていることが特に好ましい。
【００３２】
図８は、図４から図６に例示した実施形態において、水切り孔が配設されたカウンター天面の裏側にパッキン材を設けた例を示した要部拡大斜視図である。
【００３３】
図８に例示したように、水切り孔(3)が配設されたカウンター(2)天面の裏側には、防滴性を有するパッキン材(10)が、プレート(6)と当接するように設けられている。これにより、プレート(6)を引き出し／収納する際に、プレート(6)上に残存している水をより効果的に弾くことができ、プレート(6)を衛生的に保つことができる。もちろん、ガイド部(8)と溝部(9)との係合により、プレート(6)の引き出し／収納をする際のがたつき等を抑えることもできる。特に、図４から図６に示した例のように、水切り孔(3)が配設されたカウンター(2)天面の裏側にガイド部(8)が、またプレート(6)表面にこのガイド部(8)と対応した溝部(9)がそれぞれ設けられている等の場合には、溝部(9)に水が溜まりやすいため、ガイド部(8)を含めた水切り孔(3)が配設されたカウンター(2)天面の裏側にパッキン材(10)を設けることが望ましい。これにより、溝部(9)内に溜まった水も容易にシンク(4)へと弾き出すことができ、プレート(6)の衛生性を保つことができる。
【００３４】
また、図には示していないが、図７に示した実施例の場合でも、水切り孔(3)が配設されたカウンター(2)天面の裏側にパッキン材(10)を設けてもよい。
【００３５】
図９は、プレートの裏面に手掛り部を設けた例を示した断面図と要部拡大断面図である。また、図１０は、プレートの裏面に手掛り部を設け、プレート載置部に係合部を設けた例を示した断面図と要部拡大断面図である。
【００３６】
この図９に例示したように、この出願の発明は、プレート(6)や水切りプレート(7)の引き出し／収納の際に、プレート(6)や水切りプレート(7)のシンク側端部近傍の裏面に手指を引っ掛け易くするため手掛り部(13)を設けたり、掴み易くするため把手(図示せず)等を取り付けたりしてもよい。そして、このように手掛り部(13)や把手を設けるとともに、たとえば、図１０に示したように、プレート(6)や水切りプレート(7)が載置されるシンクの対向部(41)に形成されたプレート載置部(42)上面に、手掛り部(13)と係合する係合部(14)を形成させることにより、プレート(6)や水切りプレート(7)を調理作業スペースとして使用する際の安定性を向上させることができる。
【００３７】
もちろん、上記の図４から図１０に示した例におけるプレート(6)は、図には示していないが、当然に図３のように通水孔(71)を有した水切りプレート(7)としてもよい。
【００３８】
以上のような特徴を有するこの出願の発明のキッチンキャビネットによって、効率のよい水切り効果、美観の維持、プレートのスムーズなスライド動作、さらには、シンク開口面を調理作業スペースとして有効に活用することが同時に実現できることとなる。
【００３９】
この出願の発明におけるプレート(6)や水切りプレート(7)、パッキン材(10)等は、以上の例示に限られることはない。たとえば、プレート(6)や水切りプレート(7)等をステンレススチール等の金属類や樹脂等の各種の素材とすることや各種の塗装・加工処理を施すこともでき、パッキン材(10)についても防滴性を有するものであれば特に制限されるものではなく、たとえば、シリコン材やゴム材等を使用することができる。また、この出願の発明に用いられるプレート(6)や水切りプレート(7)、パッキン材(10)等では、たとえば、その大きさや形状等、その細部の形態において様々に可能であることは言うまでもない。
【図面の簡単な説明】
【００４０】
【図１】この出願の発明の一実施形態を例示した断面図であり、(A)はプレートを収納している状態を、(B)はプレートを引き出しもしくは収納している状態を、(C)はプレートを引き出してシンクの開口面全面を覆っている状態をそれぞれ例示した図である。
【図２】図１の実施形態を例示した平面図であり、(A)はプレートを収納している状態を、(B)はプレートを引き出しもしくは収納している状態を、(C)はプレートを引き出してシンクの開口面全面を覆っている状態をそれぞれ例示した図である。
【図３】この出願の発明の別の実施形態を例示した平面図である。(A)はプレートを収納している状態を、(B)はプレートの引き出しもしくは収納している状態を、(C)はプレートを引き出してシンクの開口面全面を覆っている状態をそれぞれ例示した図である。
【図４】この出願の発明のさらに別の実施形態を例示した平面図である。(A)はプレートを収納している状態を、(B)はプレートの引き出しもしくは収納している状態を、(C)はプレートを引き出してシンクの開口面全面を覆っている状態をそれぞれ例示した図である。
【図５】図４の実施形態における水切り孔が配設されたカウンター天面の裏側を拡大例示した要部拡大斜視図である。
【図６】図５の実施形態におけるプレートを収納した状態を拡大例示した要部拡大斜視図である。
【図７】この出願の発明における水切り孔が配設されたカウンター天面の裏側に溝部が設けられ、プレートにガイド部が設けられた実施形態を例示した要部拡大斜視図である。
【図８】図４から図６に例示した実施形態において、水切り孔が配設されたカウンター天面の裏側にパッキン材を設けた例を示した要部拡大斜視図である。
【図９】この出願の発明におけるプレートの裏面に手掛り部を設けた例を示した断面図と要部拡大断面図である。
【図１０】この出願の発明におけるプレートの裏面に手掛り部を設け、プレート載置部に係合部を設けた例を示した断面図と要部拡大断面図である。
【図１１】従来のキッチンキャビネットを例示した平面図である。
【符号の説明】
【００４１】
1  キッチンキャビネット
2  カウンター
3  水切り孔
4  シンク
41  シンクの対向部
42  プレート載置部
5  水切り段部
51  開口部
6  プレート
7  水切りプレート
71  通水孔
8  ガイド部
9  溝部
10  パッキン材
11  溝部
12  ガイド部
13  手掛り部
14  係合部
ア  キッチンキャビネット
イ  シンク
ウ  カウンター天面
【図１】
2005007152.tif 000003
【図２】
2005007152.tif 000004
【図３】
2005007152.tif 000005
【図４】
2005007152.tif 000006
【図５】
2005007152.tif 000007
【図６】
2005007152.tif 000008
【図７】
2005007152.tif 000009
【図８】
2005007152.tif 000010
【図９】
2005007152.tif 000011
【図１０】
2005007152.tif 000012
【図１１】
2005007152.tif 000013